(57)【要約】      （修正有）【課題】注射時に指を安定的に支持できるシリンジグリップを提供する。【解決手段】シリンジグリップ１０は、第１フィンガーグリップ部１１、および第１フィンガーグリップ部と連結され、フィンガーグリップ空間を有するように第１グリップ部と間隔をおいて第１フィンガーグリップ部よりシリンジ針側に近く位置する第２フィンガーグリップ部を含み、第２フィンガーグリップ部の両側端部のいずれか一側または両側の端部にフィンガー側面を支持するラウンドフィンガーグリップ部１２１を有する。【選択図】図５
2019209129.tif 000002
【特許請求の範囲】
【請求項１】
第１フィンガーグリップ部、および
前記第１フィンガーグリップ部と連結され、フィンガーグリップ空間を有するように前記第１グリップ部と間隔をおいて第１フィンガーグリップ部よりシリンジ針側に近く位置する第２フィンガーグリップ部
を含み、
前記第２フィンガーグリップ部の両側端部のいずれか一側または両側の端部にフィンガー側面を支持するラウンドフィンガーグリップ部が備えられることを特徴とするシリンジグリップ。
【請求項２】
前記第２フィンガーグリップ部の両側端部のうちラウンドフィンガーグリップ部が備えられていない端部にフィンガーを挿入できるループ部が備えられることを特徴とする、請求項１に記載のシリンジグリップ。
【請求項３】
前記第１フィンガーグリップ部にプランジャー作動ロッドが結合され、前記プランジャー作動ロッドには補助目盛りが備えられることを特徴とする、請求項１に記載のシリンジグリップ。
【請求項４】
前記ラウンドフィンガーグリップ部の末端はシリンジ針に向かって曲がることを特徴とする、請求項１に記載のシリンジグリップ。
【請求項５】
前記ラウンドフィンガーグリップ部の中心から始点と終点の広がった角度は４５度〜６０度であることを特徴とする、請求項１に記載のシリンジグリップ。
【請求項６】
前記第１フィンガーグリップ部と第２フィンガーグリップ部を連結する連結部をさらに含み、
前記連結部の外側にフィンガーグリップ空間が備えられ、
前記第１フィンガーグリップ部の底面と第２フィンガーグリップ部の底面はフィンガーが接するフィンガーグリップ面であることを特徴とする、請求項１に記載のシリンジグリップ。
【請求項７】
前記第１フィンガーグリップ部と第２フィンガーグリップ部の正面または背面にはシリンジ本体が結合される収容部が備えられ、前記第１フィンガーグリップ部の上面にプランジャー作動ロッドが結合されるホールが備えられ、前記ホールは前記収容部と連通することを特徴とする、請求項３に記載のシリンジグリップ。
【請求項８】
前記収容部の上部に前記ホールおよび収容部より大きい結合空間が備えられ、前記結合空間にシリンジ本体において最も大きい幅を有するシリンジ本体の上部が結合されることを特徴とする、請求項７に記載のシリンジグリップ。
【請求項９】
前記結合空間は、
前記第１フィンガーグリップ部に備えられることを特徴とする、請求項８に記載のシリンジグリップ。
【請求項１０】
前記収容部および結合空間の一側面は、
前記シリンジ本体との結合のために開放された構造であることを特徴とする、請求項９に記載のシリンジグリップ。
【請求項１１】
前記プランジャー作動ロッドの上部に加圧部が備えられ、前記加圧部は前記第１フィンガーグリップ部と対向する方向に凸状の曲面形態をなすことを特徴とする、請求項３に記載のシリンジグリップ。
【請求項１２】
前記加圧部の横幅は、前記第１フィンガーグリップ部または第２フィンガーグリップ部より小さいことを特徴とする、請求項１１に記載のシリンジグリップ。
【請求項１３】
前記加圧部の加圧前後の前記第１フィンガーグリップ部と加圧部との間の距離は３ｃｍ〜１０ｃｍであることを特徴とする、請求項１２に記載のシリンジグリップ。
【請求項１４】
前記加圧部の最大下降時の前記第２フィンガーグリップ部と加圧部との間の間隔は少なくとも３ｃｍ以上であることを特徴とする、請求項１２に記載のシリンジグリップ。
【請求項１５】
前記加圧部、第１フィンガーグリップ部および第２フィンガーグリップ部は、
同一中心軸を基準に対称構造であることを特徴とする、請求項１２に記載のシリンジグリップ。
【発明の詳細な説明】
【技術分野】
【０００１】
本発明は、注射時に指を安定的に支持できるシリンジグリップに関する。
【背景技術】
【０００２】
一般に、フィラー施術は、シリンジを用いてシワや凹んだ傷跡にフィラー（Ｆｉｌｌｅｒ）などのような注射液を注射して顔面のボリュームを改善する施術である。シリンジを用いたフィラー注入法には、逆行性線形ねじ切り、連続穿刺法、クロスハッチングおよび扇形注入法がある。
【０００３】
図１は、逆行性線形ねじ切りを示す図である。図１（ａ）は平面図であり、図１（ｂ）は側面図である。逆行性線形ねじ切りは、最も基本的な注入法（Ｒｅｔｒｏ−ｔｒａｃｋｉｎｇ  ｉｎｊｅｃｔｉｏｎ）であって、効果と効率性のいずれにも優れる。短期、中期、長期フィラーに全て勧められる注入法である。皮膚と約１５〜３０°程度の鋭角でシリンジ針を挿入した後、ターゲット（ｔａｒｇｅｔ）とする深さに達すれば、皮膚と平行した方向にシリンジ針を１番の位置から２番、３番の位置に順次進行させる。シリンジ針としては、通常、長さが１／２インチ（１２．７ｍｍ）のものが一般的に用いられ、場合によっては１インチのものも使用可能である。シリンジ針を押込み切った後、徐々に後ろに抜きながら力を入れてフィラーを注入する。この時、注意することは、シリンジ針を皮膚に刺す前にシワの深さが何ｃｍであるか、そして何回注入すれば良いかを計算した後に施術しなければならない。皮下脂肪層への注射が勧められるフィラーの場合は、真皮がフィラーに残らないように程々のところでフィラー注入を止め、シリンジ針を抜かなければならない。主にほうれい線、唇、頬、目下の凹みなどの輪郭術に使用する。逆行性線形ねじ切りは、フィラー注入の強弱をよく調節できる鋭敏な手の感覚が求められる。
【０００４】
図２のような連続穿刺法は、皮膚に約６０°の角度でシリンジ針を刺した後、シリンジを後ろに抜かずその場で少量の注射液を注射する。１番の位置からシリンジ針を後ろに抜き、近い地点の２番、３番にも同じ方式で注入する。注射間隔は５〜１０ｍｍ程度にし、節の間に空間が生じないように注意しなければならない。連続穿刺法は、逆行性線形ねじ切りが登場してからはほぼ使用されていない。主に真皮上部から中部に注入する過度な矯正を必要とする一部のコラーゲンフィラーと液状シリコーンを注入する時に連続穿刺法が使用される。しかし、ヒアルロン酸をはじめとする大半の他のフィラーを連続穿刺法により注射するのであれば、過度な矯正にならないように注意しなければならない。皮膚を満たすよりは種をまく感じで注入しなければならず、非常に小さい内容物を多量に注入すれば、一度に多量に注入することに比べて、全体表面積が増加して人体免疫系に露出が多くなるという短所がある。しかし、生体コラーゲンが合成されて沈着される表面積が遥かに広くて分裂が予防されるという効果がある。主に眉間、目の周り、額などにできた浅いシワからほうれい線などの様々な深さのシワの矯正に使用される。
【０００５】
図３のようなクロスハッチングは、フィラーを直線でない立体的な広い空間に充填するための特別注射法（最も理想的な注入法）である。逆行性線形ねじ切りを数回にかけて平行に施術した後、それと一定の角度をなして再び平行に施術（１番から４番）した後、それと一定の角度をなして再び平行な逆行性線形ねじ切りを施術（５番から８番）する二回の施術からなる。経験が多くない施術者も理解しやすいという長所があり、広い面積に均一に注射するのに好適である。また、軟組織を広くて厚く隆起させる時に有用である。しかし、針跡が多く残り、注射量が必要以上に多くなりうるという短所がある。ボリュームが激しく凹んだ頬骨および頬部位を滑らかに施術する時に有用である。
【０００６】
図４（ａ）、（ｂ）、（ｃ）、（ｄ）のような扇形注入法は、逆行性線形ねじ切りにより１回注入した後、シリンジ針を皮膚から抜かず若干角度を捩じって前進した後、再び逆行性線形ねじ切りを繰り返し行い、またシリンジ針を完全に抜いていない状態で再び角度を捩じって逆行性線形ねじ切りを続けて繰り返し行う方法である。扇形注入法により１個の注射穴を通して丸く円形を描きながら注入するのが可能である。長所としては、針跡があまり残らず、施術時間が少ないということがある。しかし、非熟練者の場合には、皮膚がデコボコになる恐れがある。すなわち、フィラーが扇形に広がるため、理論的には、施術結果が整っておらず、中間に空いたところが生じる可能性がある。したがって、広い面積に扇形にフィラーを注入するためには、種々の事例を調べてみることを勧める。通常、凹んだ額を満たす輪郭術、頬の凹み、目下や頬骨部位のボリューム拡張時に主に使用する。
【０００７】
しかし、フィラー注射時に用いるシリンジは、人差し指と中指を用いて上部グリップを把持した後、親指でプッシュロッドを押して注射液を注入する。従来のシリンジは、針が接する部位と人差し指と中指の把持グリップとプッシュロッド間の間隔が長く、施術者の指を安定的に固定できる装置が備えられていない。人差し指と中指グリップが滑るスリップ現象が発生すれば、親指によるプッシュロッドの押し動作が容易でなく、シリンジやプッシュロッドが揺れてシリンジ針が適正位置から離脱し、注射液を不安定に吐出させ、意図した注入容量より多量または少量の注射液を注入する場合に医療事故につながる。
【０００８】
そこで、注射時のコントロールが容易であり、人差し指と中指のスリップ現象がなく、ターゲットとするフィラー注入量の注入が可能なシリンジグリップの開発が求められる。
【先行技術文献】
【特許文献】
【０００９】
【特許文献１】大韓民国公開特許公報第１０−２０１０−０１３６７５９号（２０１０年１２月２９日に公開）
【発明の概要】
【発明が解決しようとする課題】
【００１０】
前述した問題を解決するために、本発明の実施形態は、第１フィンガーグリップ部と間隔をおいて位置する第２フィンガーグリップ部の両端にラウンドグリップ部またはループ部を備えて安定したフィンガーグリップ状態になるようにすることによって、プランジャー作動ロッドを押す速度を精巧に調節して均一に注射液を吐出できるようにしたシリンジグリップを提供しようとする。
【課題を解決するための手段】
【００１１】
前述した目的を達成するために、本発明の実施形態によるシリンジグリップは、第１フィンガーグリップ部、および前記第１フィンガーグリップ部と連結され、フィンガーグリップ空間を有するように前記第１グリップ部と間隔をおいて第１フィンガーグリップ部よりシリンジ針側に近く位置する第２フィンガーグリップ部を含み、前記第２フィンガーグリップ部の両側端部のいずれか一側または両側の端部にフィンガー側面を支持するラウンドフィンガーグリップ部が備えられてもよい。
【００１２】
また、前記第２フィンガーグリップ部の両側端部のうちラウンドフィンガーグリップ部が備えられていない端部にフィンガーを挿入できるループ部が備えられてもよい。
【００１３】
また、前記第１フィンガーグリップ部にプランジャー作動ロッドが結合され、前記プランジャー作動ロッドには補助目盛りが備えられてもよい。
【００１４】
また、前記ラウンドフィンガーグリップ部の末端はシリンジ針に向かって曲がってもよい。
【００１５】
また、前記ラウンドフィンガーグリップ部の中心から始点と終点の広がった角度は４５度〜６０度であってもよい。
【００１６】
また、前記第１フィンガーグリップ部と第２フィンガーグリップ部を連結する連結部をさらに含み、前記連結部の外側にフィンガーグリップ空間が備えられ、前記第１フィンガーグリップ部の底面と第２フィンガーグリップ部の底面はフィンガーが接するフィンガーグリップ面であってもよい。
【００１７】
また、前記第１フィンガーグリップ部と第２フィンガーグリップ部の正面または背面にはシリンジ本体が結合される収容部が備えられ、前記第１フィンガーグリップ部の上面にプランジャー作動ロッドが結合されるホールが備えられ、前記ホールは前記収容部と連通してもよい。
【００１８】
また、前記収容部の上部に前記ホールおよび収容部より大きい結合空間が備えられ、前記結合空間にシリンジ本体において最も大きい幅を有するシリンジ本体の上部が結合されてもよい。
【００１９】
また、前記結合空間は、前記第１フィンガーグリップ部に備えられてもよい。
また、前記収容部および結合空間の一側面は、前記シリンジ本体との結合のために開放された構造であってもよい。
【００２０】
また、前記プランジャー作動ロッドの上部に加圧部が備えられ、前記加圧部は前記第１フィンガーグリップ部と対向する方向に凸状の曲面形態をなしてもよい。
【００２１】
また、前記加圧部の横幅は、前記第１フィンガーグリップ部または第２フィンガーグリップ部より小さくてもよい。
【００２２】
また、前記加圧部の加圧前後の前記第１フィンガーグリップ部と加圧部２１との間の距離は３ｃｍ〜１０ｃｍであってもよい。
【００２３】
また、前記加圧部の最大下降時の前記第２フィンガーグリップ部と加圧部との間の間隔は少なくとも３ｃｍ以上であってもよい。
【００２４】
また、前記加圧部、第１フィンガーグリップ部および第２フィンガーグリップ部は、同一中心軸を基準に対称構造であってもよい。
【発明の効果】
【００２５】
本発明の実施形態によるシリンジグリップによれば、第１フィンガーグリップ部と間隔をおいて位置する第２フィンガーグリップ部の両端にラウンドグリップ部またはループ部を備えて、安定したフィンガーグリップ状態になるようにすることができる。
【００２６】
また、フィンガーグリップ状態が安定することによって、プランジャー作動ロッドを押す速度を精巧に調節して均一に注射液を吐出することができる。
【図面の簡単な説明】
【００２７】
【図１】シリンジを用いたフィラー注入法のうち逆行性線形ねじ切りを示す図である。
【図２】シリンジを用いたフィラー注入法のうち連続穿刺法を示す図である。
【図３】シリンジを用いたフィラー注入法のうちクロスハッチングを示す図である。
【図４】シリンジを用いたフィラー注入法のうち扇形注入法を示す図である。
【図５】本発明の第１実施形態による組み立て状態のシリンジグリップを示す図である。
【図６】本発明の第１実施形態によるシリンジグリップを示す斜視図である。
【図７】本発明の第１実施形態によるシリンジグリップを示す側断面図である。
【図８】本発明の第１実施形態によるプランジャー作動ロッドを示す図である。
【図９】本発明の第１実施形態によるフィンガー把持状態を示す図である。
【図１０】本発明の第２実施形態による組み立て状態のシリンジグリップを示す図である。
【図１１】本発明の第２実施形態によるシリンジグリップを示す斜視図である。
【図１２】本発明の第２実施形態によるシリンジグリップを示す側断面図である。
【図１３】本発明の好ましい第２実施形態によるフィンガー把持状態を示す図である。
【発明を実施するための形態】
【００２８】
以下では、本発明の好ましい実施形態について添付図面を参照して詳しく説明する。先ず、各図面の構成要素に参照符号を付する際、同一の構成要素に対しては、他の図面上に示すときにも可能な限り同一の符号を付するようにしていることに留意しなければならない。また、本発明を説明するにおいて、関連の公知構成または機能に関する具体的な説明が本発明の要旨を濁す恐れがあると判断される場合にはその詳細な説明は省略する。また、以下では本発明の好ましい実施形態について説明するが、本発明の技術的思想はこれに限定または制限されるものではなく、当業者により変形されて多様に実施できることは勿論である。
【００２９】
先ず、本発明の第１実施形態によるシリンジグリップの構成について説明する。
【００３０】
図５〜７に示すように、本発明の第１実施形態によるシリンジグリップ１０は、フィンガー把持が可能であるように概略「」のような形態に形成される。シリンジグリップ１０の中心にはホール１４が備えられる。シリンジグリップ１０の正面または背面の中心には収容部１５が備えられる。ホール１４は収容部１５と連通する。
【００３１】
ホール１４を通してプランジャー作動ロッド２０を結合することができる。収容部１５を介してフィラーなどのような注射液が注入されるシリンジ本体４０を結合することができる。収容部１５の上部には、収容部１５の横幅より広い幅の結合空間１５１が備えられる。
【００３２】
収容部１５にはシリンジ本体４０の上端の下部が結合され、シリンジ本体の上端は結合空間１５１に挿入結合される。
【００３３】
プランジャー作動ロッド２０は、第１フィンガーグリップ部１１の上面に備えられるホール１４を通してシリンジ本体４０の内部に挿入結合される。
【００３４】
一般に、シリンジ本体４０に注入されるフィラーは粘弾性（ｖｉｓｃｏｅｌａｓｔｉｃｉｔｙ）物質であるため、シリンジを用いて注射する時に大きな力が必要であり、プランジャー作動ロッド２０を押す時にプランジャー作動ロッド２０が揺れたりフィンガーのスリップ現象が発生したりしないように、安定したフィンガーグリップを提供することが非常に重要である。
【００３５】
本発明の第１実施形態によるシリンジグリップ１０は、第１フィンガーグリップ部１１、第１フィンガーグリップ部１１と間隔をおいて形成される第２フィンガーグリップ部１２、および第１フィンガーグリップ部１１と第２フィンガーグリップ部１２を連結する連結部１３を含む。
【００３６】
第１フィンガーグリップ部１１は緩やかな曲面に形成される。シリンジ針３０に向かう第１フィンガーグリップ部１１の底面がフィンガーグリップ面１１０となる。
【００３７】
第１フィンガーグリップ部１１は、上面中央にプランジャー作動ロッド２０が結合されるホール１４が備えられる。注射時、第１フィンガーグリップ部１１底面の左右両側のフィンガーグリップ面１１０を人差し指と中指で把持する。第１フィンガーグリップ部１１は、第２フィンガーグリップ部１２の上側に位置する。
【００３８】
第２フィンガーグリップ部１２は、緩やかな曲面に形成される。第２フィンガーグリップ部１２は、中央部位が連結部１３により第１フィンガーグリップ部１１と連結される。
【００３９】
第２フィンガーグリップ部１２は、第１フィンガーグリップ部１１と間隔をおいて形成される。
【００４０】
第１フィンガーグリップ部１１と第２フィンガーグリップ部１２との間の連結部１３の外側に、第１フィンガーグリップ部１１を把持できるフィンガーグリップ空間１６が形成される。
【００４１】
第２フィンガーグリップ部１２は、第１フィンガーグリップ部１１よりシリンジ針３０側に近く位置する。第２フィンガーグリップ部１２の底面が人差し指と中指で把持できるフィンガーグリップ面１２０となる。
【００４２】
第２フィンガーグリップ部１２の両側端部のいずれか一側または両側には、ラウンドフィンガーグリップ部１２１が形成される。ラウンドフィンガーグリップ部１２１の末端は、シリンジ針３０に向かって曲がったラウンド形態をなす。ラウンドフィンガーグリップ部１２１は、人差し指と中指の側面を包んで人差し指と中指がスリップするのを防止することができる。
【００４３】
ラウンドフィンガーグリップ部１２１の中心１２２とラウンドフィンガーグリップ部１２１の始点１２３を仮想の線で連結し、ラウンドフィンガーグリップ部１２１の中心１２２とラウンドフィンガーグリップ部１２１の終点１２４を仮想の線で連結した時、ラウンドフィンガーグリップ部１２１の始点１２３とラウンドフィンガーグリップ部１２１の終点１２４との間の広がった角度θが４５度〜６０度になるように設計する。
【００４４】
実験結果、ラウンドフィンガーグリップ部１２１の始点１２３とラウンドフィンガーグリップ部１２１の終点１２４との間の広がった角度が４５度〜６０度である時に、フィンガーのグリップ感が安定的で最も優秀であり、フィンガーのスリップ現象が発生しなかった。
【００４５】
プランジャー作動ロッド２０は、プランジャー５０を押してシリンジ本体４０に注入されたフィラーなどのような注射液をシリンジ針３０を通して吐出するようにする装置である。プランジャー作動ロッド２０は、ホール１４を通してシリンジグリップ１０に結合され、シリンジ本体４０の内部に挿入結合される。
【００４６】
図８に示すように、プランジャー作動ロッド２０は、上部に備えられる加圧部２１、下部に備えられるネジ部２３、および長さ方向に沿って形成される補助目盛り２２を含む。
【００４７】
加圧部２１は、親指または手のひら部位で押し易い形態に形成されなければならない。加圧部２１は、下向きに凸状の曲面形態であってもよい。ネジ部２３は、プランジャー５０とネジ結合される。
【００４８】
補助目盛り２２を介して注射液の注入程度を調節することができる。勿論、シリンジ本体４０にも目盛り４１が表示されているが、注射時、シリンジ本体４０に表示された目盛り４１が手で遮られて見えない場合、プランジャー作動ロッド２０に表示された補助目盛り２２を見ながら注射液の投入量を確認することができるため、熟練した医師でなくても適正量の注射液を注射することができる。
【００４９】
次は、本発明の第２実施形態によるフィンガーグリップ部の構成について説明する。
【００５０】
図１０〜１２に示すように、本発明の第２実施形態によるフィンガーグリップ部は、フィンガーを挿入できるループ部６０が備えられる。本発明の第２実施形態は、ループ部６０を除いては、第１実施形態と実質的に同様である。
【００５１】
具体的には、本発明の第２実施形態の第２フィンガーグリップ部１２の一側端部にはラウンドフィンガーグリップ部１２１が備えられ、他側端部にはループ部６０が備えられる。ループ部６０に人差し指または中指、他の指など、選択されるフィンガーを挿入することができる。ループ部６０の形態は特に制限されず、例えば、ループ部６０は円形であってもよい。
【００５２】
次は、第１実施形態の注射過程について説明する。
図９（ａ）のように、フィラー施術前、人差し指と中指で第１フィンガーグリップ部１１のフィンガーグリップ面１１０を把持する。親指は、プランジャー作動ロッド２０の加圧部２１に位置する。
【００５３】
フィラー施術部位にシリンジ針３０を位置させた後、親指で加圧部２１を押して注射する。
【００５４】
注射液がシリンジ針を通して施術部位に注入されるにつれて、第１フィンガーグリップ部１１と加圧部２１との間の距離が縮まる。
【００５５】
一方、注射液を均一に吐出することができるように、親指で加圧部２１を押し易い第１フィンガーグリップ部１１と加圧部２１との間の距離は概略３〜１０ｃｍである。第１フィンガーグリップ部１１と加圧部２１との間の距離が３ｃｍ未満に縮まると、親指で加圧部２１を押すのが容易でなく、注射液の均一な吐出が難しくなる。特に注射液がフィラーなどのような粘弾性薬物である場合、粘弾性薬物でない場合に比べて加圧部２１を加圧するのに力がさらに必要であるため、第１フィンガーグリップ部１１と加圧部２１との間の距離が３ｃｍ未満に縮まる場合には注射液の均一な吐出が難しくなる。
【００５６】
したがって、第１フィンガーグリップ部１１と加圧部２１との間の距離が３ｃｍ未満に縮まる前に第１フィンガーグリップ部１１を把持していた人差し指と中指を第２フィンガーグリップ部１２に移動して、第２フィンガーグリップ部１２底面の左、右のフィンガーグリップ面１２０を把持する。
【００５７】
図９（ｂ）のように人差し指と中指を第２フィンガーグリップ部１２に移動するに伴い、第２フィンガーグリップ部１２と加圧部２１との間の間隔が３ｃｍより大きくなるため、親指の加圧力が加圧部２１によく伝達されることができる。
【００５８】
第２フィンガーグリップ部１２を把持した人差し指と中指はいずれもラウンドフィンガーグリップ部１２１にかかって滑らずに安定した支持状態を維持するため、親指の力を加圧部２１によく伝達することができる。
【００５９】
次は、第２実施形態の注射過程について説明する。
図１２（ａ）のように人差し指と中指で第１フィンガーグリップ部１１の左、右フィンガーグリップ面１１０を把持する。親指は、プランジャー作動ロッド２０の加圧部２１に位置する。
【００６０】
フィラー施術部位にシリンジ針３０を位置させた後、親指で加圧部２１を押して注射する。
【００６１】
注射液がシリンジ針を通して施術部位に注入されるにつれて、第１フィンガーグリップ部１１と加圧部２１との間の距離が縮まる。
【００６２】
第１フィンガーグリップ部１１と加圧部２１との間の距離が３ｃｍ未満に縮まる前に第１フィンガーグリップ部１１を把持していた人差し指と中指を第２フィンガーグリップ部１２に移動する。
【００６３】
例えば、人差し指で第２フィンガーグリップ部１２の底面フィンガーグリップ面１２０を把持し、ループ部６０に中指を挿入して把持する。その逆に、中指で第２フィンガーグリップ部１２の底面フィンガーグリップ面１２０を把持し、ループ部６０に人差し指を挿入して把持してもよい。
【００６４】
図１２（ｂ）のように人差し指と中指を第２フィンガーグリップ部１２に移動するに伴い、第２フィンガーグリップ部１２と加圧部２１との間の間隔が３ｃｍより大きくなるため、親指の加圧力を加圧部２１によく伝達することができる。
【００６５】
人差し指と中指で第２フィンガーグリップ部１２を支持した状態で、親指で加圧部２１を加圧する。親指で加圧部２１を加圧して施術部位にシリンジ本体４０の注射液を残さずに注射する。
【００６６】
第２フィンガーグリップ部１２を把持した指はラウンドフィンガーグリップ部１２１にかかって滑らない堅固な支持状態になり、他の指はループ部６０に挿入されて滑らないことは勿論、把持する力がさらに強くなって親指の力が加圧部２１によりよく伝達されることができる。
【００６７】
次は、本発明の実施形態によるシリンジグリップの長所について説明する。
本発明の実施形態によるシリンジグリップによれば、医療事故を防止することができる。従来のシリンジは、人差し指と中指を用いて第１フィンガーグリップ部を把持した後、親指を用いてプランジャー作動ロッドの加圧部を押すことによって注射液が注入される。従来のシリンジは、シリンジ針が接する部位と人差し指と中指が把持されるグリップ部とプランジャー作動ロッドの加圧部間の間隔が長くて医師の熟練度に依存するしかなく、施術者の指を安定的に固定できる装置が備えられていなかった。そのため、フィンガースリップ現象が発生し、親指の加圧によるプランジャー作動ロッドの押し動作が容易でなく、シリンジやプランジャー作動ロッドが揺れてシリンジ針が適正位置から離脱して注射液を不安定に吐出させることにより、意図した注入容量より多量または少量が注入されるなど、医療事故が発生する可能性が高かった。しかし、本発明の実施形態によるシリンジグリップは、従来のグリップよりシリンジ針に近く位置する第２フィンガーグリップ部により、従来のグリップより注射時における注射液のコントロールが容易であり、注射液の注入量を非常に容易に調節することができる。第２フィンガーグリップ部のラウンドフィンガーグリップ部は人差し指と中指が滑らないように包むため、フィンガースリップ現象を一次的に防止することができる。そして、第２フィンガーグリップ部はシリンジに手を密着することができるため、施術時にシリンジの動きを防止して医療事故を防止することができる。フィラーを注入するために目周りの真皮層にシリンジ針を刺す時、シリンジを把持するフィンガーグリップの固定が安定的でない場合、滑りまたは不注意で力をさらに加えると、血管にシリンジ針が挿入されるなど、失明する危険性がある。しかし、第２フィンガーグリップ部はラウンドフィンガーグリップ部に人差し指と中指が固定されるため、スリップ現象が全く発生せず、安定的に人差し指と中指が固定され、意図した位置に正確に注射することができるので医療事故を防止することができる。
【００６８】
また、本発明の実施形態によるシリンジグリップによれば、フィラーなどのような粘弾性の大きい薬物の注入が容易である。フィラーを人体に注入する場合、注入時間の間均一な量で薬物が供給されなければならない。フィラーなどのように粘弾性が大きい薬物の場合、注入のために相対的に大きい力が必要であるため、プランジャー作動ロッドに加える力の調節に失敗すれば、注入時間の間不均一に薬物が人体に注入される。例えば、プランジャー作動ロッドに加える圧力によってシリンジまたはプランジャー作動ロッドが揺れたりフィンガースリップ現象が発生したりする場合、プランジャー作動ロッドの押す速度を精巧に調節することができない。この場合、定量の注射液を吐出することができない。フィラーは粘弾性が大きいため、注射の押出力が相当であり、フィラーなどのような薬物注入時、一次的に第１フィンガーグリップ部に人差し指と中指を安全に包ませることができるため、押出力が大きくなってもスリップ現象を防止することができる。例えば、人差し指と中指が支えているグリップ部分とプランジャー作動ロッドを押す親指との間が、通常、成人男女を基準に３〜１０ｃｍの間隔が力の調節に容易である。間隔が３ｃｍ未満に縮まると、微細な力の調節が難しくなる。本発明の実施形態によるシリンジグリップの場合、第２フィンガーグリップ部に人差し指と中指を嵌めて親指および人差し指と中指間の間隔を適正基準である３〜１０ｃｍに広げて注射液を均一に吐出することができる。第２フィンガーグリップ部に指を固定させる時、ラウンドフィンガーグリップ部が人差し指と中指の側面を抑えてスリップ現象を防止することができる。また、第２フィンガーグリップ部に人差し指または中指を安定的に固定することができるため、プランジャー作動ロッドに力が伝達される時、様々な角度からも一定の力で注射液を注入することができる。
【００６９】
また、本発明の実施形態によるシリンジグリップによれば、連続性注射施術および施術中の部位移動コントロールが容易である。通常の注射治療は、一つの部位に注射液の定量を全て入れて抜く治療をするが、フィラーの場合は非常に異なるものである。実際にフィラー注入法のうちの一つである扇形注入法の場合、１ヶ所にシリンジ針を刺した後、扇形に多角度でシリンジ針を動かしつつ注射液を注入する。一度の施術行為に複数のシリンジを使う場合もある。部位別に注入する量が異なり、施術方法も施術部位ごとに異なる。施術中、フィラーやボトックスがよく広がるかまたは形態がよく取れるように医師の手で調節したりもする。フィラーの場合、真皮にシリンジ針を刺した状態でシリンジ針を上下に動かして注射液の量と注入部位を調節するが、従来のシリンジは、人差し指と中指、親指に加えられた力で注射器を握って上下に動かしてシリンジ針を移動させ、親指でプランジャー作動ロッドを押しつつ一定量を注入しなければならない。これは、人差し指と中指、親指の正確な力の調節と同時に腕と手首で注射器を上下に動かすため、相当な経験と熟練が必要である。しかし、本発明の実施形態によるシリンジグリップは、第１フィンガーグリップ部のラウンドフィンガーグリップ部がシリンジ針を内側にさらに入れる時、シリンジと施術者の手を固定密着させてその行為がさらに安定的になされるようにし、未熟練者、未経験者も力の調節を容易にできるようにする。そして、シリンジ針を抜く時には、第１フィンガーグリップ部および第２フィンガーグリップ部のラウンドフィンガーグリップ部がフィンガースリップ現象を防止して安定した動きを誘導することによって施術行為に大きく役に立つ。
【００７０】
また、本発明の実施形態によるシリンジグリップによれば、難角施術のコントロールおよび安全を強化することができる。フィラー施術時、種々の角度から注射液を注入しなければならない場合が発生しうる。特に、口腔内麻酔およびフィラーなどのようにシリンジの角度に応じて施術者が被施術者の回りを移動しながら施術しなければならない場合が発生しうる。その理由は、ターゲットとする部位にフィラーを注入する場合、注入部位の変更に応じて施術者がフィラー注入のためにプランジャー作動ロッドに加えられる力を調節するためである。しかし、本発明の実施形態によるシリンジグリップは、第２フィンガーグリップ部のラウンドフィンガーグリップに人差し指または中指をかけて固定することができるため、様々な角度に注入部位が変更されても被施術者の移動なしに安定的に注射液を注入することができる。ラウンドフィンガーグリップ部に人差し指または中指が固定されるため、どの方向または難しい角度から注射する場合にもフィラー注入方向を自由に調節することができ、従来のシリンジグリップとは異なり、様々な角度から安定した施術が可能である。
【００７１】
また、本発明の実施形態によるシリンジグリップによれば、適正な均一量のフィラーを注入することができる。シリンジのうちフィラーやボトックスのように複数の部位に注射液を分けて注入しなければならない場合、施術者の視野に注射液量の確認が可能でなければならない。施術過程で施術者の指がシリンジ本体の目盛りを遮って注入量の確認が難しい場合がある。すなわち、シリンジの位置に応じて手の平でシリンジを包む場合、注射液の注入量がどの程度注入されているかを確認し難いのが従来のシリンジの短所である。しかし、本発明の実施形態によるシリンジグリップは、プランジャー作動ロッドに注射液の注入量を確認できる補助目盛りが表示されているため、シリンジを手の平で包んでシリンジ本体の目盛りが見えなくても、プランジャー作動ロッドに表示された補助目盛りを介して注射液の注入量を容易に確認することができる。そのため、施術中に注入量を確認するために施術を中止したりする不便がなく、ターゲット注入量を注入することができる。本発明の実施形態は、シリンジグリップとプランジャー作動ロッド間の視野を邪魔する要素がないため、プランジャー作動ロッドに表示された補助目盛りを介して注射液の注入量を直ちに確認しつつ施術が可能である。そして、従来は医師の感覚に依存していた注入量を正確に認知しつつ施術が可能である。未熟練者の場合は、事前にプランジャー作動ロッドの補助目盛りに注入量を表示すれば誤差なしに施術することができる。
【００７２】
また、本発明の実施形態によるシリンジグリップによれば、未熟練施術者の熟練が可能である。シリンジを用いたフィラー施術、麻酔注射注入の熟練度は、世界的に韓国の医師のレベルが最も高いと報告されている。その理由は、韓国の医療技術が先進化されているよりは、韓国での医師のシリンジ把持法、力の調節など、いわゆる手技術が熟練しているためである。手技術が熟練した背景には、韓国での施術件数が他国に比べて遥かに多いためである。むしろ医療技術が先進化されている日本の医師の場合は、韓国の医師とは異なり、手技術の熟練度が低い。韓国に比べて日本のフィラー技術の市場規模が小さい。熟練者と未熟練者間の熟練度を縮める方法が存在するのであれば、日本国内でもフィラーなどのような施術の市場規模がさらに大きくなるはずである。その意味で、本発明の実施形態によるシリンジグリップのようなラウンドフィンガーグリップ部が備えられたシリンジグリップを手技術が不足した国で使用するようになれば、未熟練者もフィラー施術などのような熟練が必要な施術が可能である。
また、本発明の実施形態によるシリンジグリップによれば、経済的な価値を向上させることができる。フィラーやボトックスなどのように定量が定められた注射でない場合、注射の押出力の問題あるいは施術者の手の構造上、最後の残量を注入する時にスリップ現象あるいは早く注入される現象が発生しうる。そこで、施術者は、注射液の全量を使わず、平均的に８０〜９０％だけを使い、残りは廃棄するのが一般的である。しかし、本発明の第２フィンガーグリップ部を利用すれば、人差し指と中指が把持している部位と親指が接するプランジャー作動ロッド間の間隔を施術者が握力を与え易い適正間隔である３〜１０ｃｍに広げるため、注射液を残さずに全量を施術することができる。そこで、１回当たりの注射液の産業的な価値が従来の８０〜９０％から９５〜９９％に高くなりうる。そのため、患者によっては、２回の注射を１回に、３回の注射を２回に減らす効果を期待できる。患者のフィラー施術の回数を画期的に減らすことができるため、患者にも勿論、国家経済にも利益を与えることができる。フィラー施術の回数を減らすことにより、フィラー施術に用いられるシリンジやシリンジ針などの医療機器の廃棄物を減少させることができる。
【００７３】
以上の説明は本発明の技術思想を例示的に説明したものに過ぎず、本発明が属する技術分野で通常の知識を有した者であれば、本発明の本質的な特性から逸脱しない範囲内で様々な修正、変更および置換が可能である。したがって、本発明に開示された実施形態および添付された図面は本発明の技術思想を限定するためのものでなく説明するためのものであって、このような実施形態および添付された図面によって本発明の技術思想の範囲が限定されるものではない。本発明の保護範囲は下記の請求範囲によって解釈しなければならず、それと同等な範囲内にある全ての技術思想は本発明の権利範囲に含まれるものとして解釈しなければならない。
【符号の説明】
【００７４】
１０  ・・・シリンジグリップ
１１  ・・・第１フィンガーグリップ部
１２  ・・・第２フィンガーグリップ部
１３  ・・・連結部
１４  ・・・ホール
１５  ・・・収容部
１６  ・・・フィンガーグリップ空間
２０  ・・・プランジャー作動ロッド
２１  ・・・加圧部
２２  ・・・補助目盛り
２３  ・・・ネジ部
３０  ・・・シリンジ針
４０  ・・・シリンジ本体
４１  ・・・目盛り
５０  ・・・プランジャー
６０  ・・・ループ部
１１０  ・・・フィンガーグリップ面
１２０  ・・・フィンガーグリップ面
１２１  ・・・ラウンドフィンガーグリップ部
１２２  ・・・中心
１２３  ・・・始点
１２４  ・・・終点
１５１  ・・・結合空間
θ  ・・・角度
【図１】
2019209129.tif 000003
【図２】
2019209129.tif 000004
【図３】
2019209129.tif 000005
【図４】
2019209129.tif 000006
【図５】
2019209129.tif 000007
【図６】
2019209129.tif 000008
【図７】
2019209129.tif 000009
【図８】
2019209129.tif 000010
【図９】
2019209129.tif 000011
【図１０】
2019209129.tif 000012
【図１１】
2019209129.tif 000013
【図１２】
2019209129.tif 000014
【図１３】
2019209129.tif 000015
【手続補正書】
【提出日】平成31年4月8日(2019.4.8)
【手続補正１】
【補正対象書類名】明細書
【補正対象項目名】００３０
【補正方法】変更
【補正の内容】
【００３０】
図５〜７に示すように、本発明の第１実施形態によるシリンジグリップ１０は、フィンガー把持が可能であるように概略「
2019209129.tif 000016
」のような形態に形成される。シリンジグリップ１０の中心にはホール１４が備えられる。シリンジグリップ１０の正面または背面の中心には収容部１５が備えられる。ホール１４は収容部１５と連通する。